(57)【特許請求の範囲】
【請求項１】
ＤＣフリー変調の変調信号を記録媒体に記録する信号記録回路において、
前記変調信号の低域成分を抽出する低域成分抽出手段と、
前記低域成分抽出手段で抽出された低域成分に応じて前記変調信号を振幅変調する振幅変調手段とを有し、
前記振幅変調手段の出力する信号を前記記録媒体に記録することを特徴とする信号記録回路。
【請求項２】
請求項１記載の信号記録回路において、
前記低域成分抽出手段は、前記記録媒体である光ディスクの最適記録パワーに応じたゲインで前記抽出された低域成分を増幅する増幅手段を
有することを特徴とする信号記録回路。
【請求項３】
請求項１または２記載の信号記録回路において、
前記振幅変調手段は、前記記録媒体である光ディスクに記録を行うレーザパワーを自動制御するレーザパワー制御部の制御目標値に前記低域成分抽出手段で抽出された低域成分を重畳することを特徴とする信号記録回路。
【発明の詳細な説明】
【０００１】
【発明の属する技術分野】
本発明は信号記録回路に関し、特に、光ディスク等の記録媒体に情報の記録再生を行う装置に用いられ信号を記録する信号記録回路に関する。
【０００２】
【従来の技術】
ディジタル信号を記録再生する光ディスクとして例えばＣＤ−Ｒ（Ｃｏｍｐａｃｔ  Ｄｉｓｃ  Ｒｅｃｏｒｄａｂｌｅ）がある。ＣＤ−Ｒに記録されるディジタル信号の変調方式としてＥＦＭが用いられている。ＥＦＭ（Ｅｉｇｈｔ  ｔｏＦｏｕｒｔｅｅｎ  Ｍｏｄｕｌａｔｉｏｎ）は、誤り訂正符号ＣＩＲＣを含む各シンボル８ビットを１４チャネルビットからなるパターンに変換し、その後、各パターンの間に３チャネルビットのマージンビットを付加して、パルス幅が３Ｔ〜１１Ｔの中にあるというＥＦＭルールを満足させ、かつ、信号自体の持つ低域成分を低減させている。このため、ＥＦＭはＤＣフリー変調信号と呼ばれている。なお、基準時間幅Ｔは標準速度（１倍速）にて周波数４．３２ＭＨｚの１周期であり、約２３０ｎｓｅｃである。
【０００３】
図６は、信号再生回路の一例のブロック図を示す。同図中、端子１０には、所定の回転速度で回転駆動されるＣＤ−Ｒ等の光ディスクに光ピックアップのレーザダイオードからレーザ光を照射し、その反射光を光ピックアップの光検出器で検出して得られた再生ＲＦ信号が入力され、コンパレータ１２の非反転入力端子に供給される。コンパレータ１２の反転入力端子には低域フィルタ及びアンプ１４から閾値Ｖｔｈ１が供給されており、コンパレータ１２は入力ＲＦ信号を閾値Ｖｔｈ１と比較することにより２値化する。この２値化信号はＰＬＬ（Ｐｈａｓｅ  Ｌｏｃｋｅｄ  Ｌｏｏｐ）及びディテクタ１６及び低域フィルタ及びアンプ１４に供給される。
【０００４】
低域フィルタ及びアンプ１４は２値化信号を積分したのち所定ゲインで増幅することにより閾値Ｖｔｈ１を生成してコンパレータ１２に供給する。コンパレータ１２と低域フィルタ及びアンプ１４はアシンメトリ補正回路１５を構成しており、２値化信号のハイレベル期間とローレベル期間とが総和として等しくなるように閾値Ｖｔｈ１を決定している。このアシンメトリ補正回路１５の応答特性は低域フィルタ及びアンプ１４の時定数とゲイン、及び入力ＲＦ信号振幅、及びコンパレータ１２の出力電圧を調整して最適化される。
【０００５】
ＰＬＬ及びディテクタ１６は、ＰＬＬで供給される２値化信号に同期したクロックＰＣＬＫを生成して端子１８より出力すると共に、ディテクタで上記クロックＰＣＬＫを基準に定められた検出窓で再生パルスの有無を検出することにより信号ＲＥＦＭを弁別再生し端子１９より出力する。
【０００６】
【発明が解決しようとする課題】
ＥＦＭ信号の各パターンの間に付加されるマージンビットは、パルス幅が３Ｔ〜１１Ｔの中にあるというＥＦＭルールを満足させ、かつ、ＤＳＶ（Ｄｉｇｉｔａｌ  Ｓｕｍ  Ｖａｒｉａｔｉｏｎ）を計算して低域成分が極力少なくなるように選択されるが、この付加ビットだけでは１フレーム単位でこの低域成分を完全に除去することはできない。
【０００７】
また、信号再生回路のアシンメトリ補正回路１５では、光ディスク表面の傷、汚れ、反射率むらに追随して正確に再生ＲＦ信号を２値化するため、応答時定数をＥＦＭ周波数成分と干渉しない程度に充分高く設定している。このため、ＥＦＭ変調時に完全に除去できなかった低域成分をアシンメトリ補正回路１５で除去することができず、コンパレータ１２に供給される閾値Ｖｔｈ１は、ＥＦＭ変調時の低域成分に応答して変動し、再生ジッタを発生するという問題があった。
【０００８】
本発明は、上記の点に鑑みなされたもので、ＤＣフリー変調の変調信号に含まれる低域成分に起因する再生ジッタを低減することができる信号記録回路を提供することを目的とする。
【０００９】
【課題を解決するための手段】
請求項１に記載の発明は、ＤＣフリー変調の変調信号を記録媒体に記録する信号記録回路において、
前記変調信号の低域成分を抽出する低域成分抽出手段と、
前記低域成分抽出手段で抽出された低域成分に応じて前記変調信号を振幅変調する振幅変調手段とを有し、
前記振幅変調手段の出力する信号を前記記録媒体に記録するため、
記録媒体から再生された信号を２値化するときに、上記の振幅変調成分は再生された信号に含まれる低域成分と相殺されるので、再生ジッタを低減することができる。
【００１０】
請求項２に記載の発明は、請求項１記載の信号記録回路において、
前記低域成分抽出手段は、前記記録媒体である光ディスクの最適記録パワーに応じたゲインで前記抽出された低域成分を増幅する増幅手段を有するため、
記録しようとする光ディスクの最適記録パワーに応じた最適な振幅変調を行うことができ、これにより再生時に振幅変調成分が再生された信号に含まれる低域成分と相殺されるようにすることができる。
【００１１】
請求項３に記載の発明は、請求項１または２記載の信号記録回路において、
前記振幅変調手段は、前記記録媒体である光ディスクに記録を行うレーザパワーを自動制御するレーザパワー制御部の制御目標値に前記低域成分抽出手段で抽出された低域成分を重畳することにより、抽出された低域成分に応じて前記変調信号を振幅変調することができる。
【００１２】
【発明の実施の形態】
図１は、本発明の信号記録回路の第１実施例のブロック図を示す。同図中、  ＥＦＭエンコーダ２０は、誤り訂正符号ＣＩＲＣ（Ｃｒｏｓｓ  Ｉｎｔｅｒｌｅａｖｅｄ  Ｒｅａｄ−ｓｏｌｏｍｏｎ  Ｃｏｄｅ）を含む記録データの各シンボル８ビットを１４チャネルビットからなるパターンに変換し、その後、各パターンの間に３チャネルビットのマージンビットを付加して、パルス幅が３Ｔ〜１１Ｔの中にあるというＥＦＭルールを満足させ、かつ、信号自体の持つ低域成分を低減させるＥＦＭ変調を行って、得られたＥＦＭ信号をパルスストラテジ付加回路２２及び低域成分重畳ブロック２４に供給する。
【００１３】
低域成分重畳ブロック２４内の反転回路２６は、供給されるＥＦＭ信号を反転する。反転されたＥＦＭ信号は低域フィルタ（ＬＰＦ）２８に供給され、ここで低域成分を抽出する。なお、低域フィルタ２８は記録速度が大なるほど遮断周波数ｆｃを高くするよう可変する。上記の低域成分は可変ゲインアンプ（ＶＧＡ）３０に供給される。
【００１４】
可変ゲインアンプ３０は、図示しない記録制御回路から端子３１を介して最適記録パワーに対する低域成分重畳ゲインを設定されており、低域フィルタ２８で抽出された低域成分を設定された重畳ゲインで増幅してオフセット電圧を得、このオフセット電圧を低域成分重畳オン／オフ回路３２に供給する。低域成分重畳オン／オフ回路３２は、図示しない記録制御回路から端子３４を介して供給される制御信号に応じてオン／オフし、オンした時にのみ可変ゲインアンプ３０からのオフセット電圧をライトパワーＡＬＰＣブロック３６の加算回路３８に供給する。
【００１５】
パルスストラテジ付加回路２２は、パルスストラテジ（記録パルス幅）の設定を行う。ＥＦＭ信号は３Ｔ〜１１Ｔのパルス幅で記録されるが、記録パルス幅にあった正確なピット形成を行うために、光ディスク毎に最適なストラテジ（記録光パルス幅）を設定する。この情報は、光ディスクに参照値として予め記録されているか、もしくは、本発明の信号記録回路を搭載するドライブ装置のメモリ上のテーブルに記憶されている。パルスストラテジ付加回路２２は光ディスクから読み込んだ参照値をＥＦＭ信号の各パルスに付加して記録パルス幅を補正しライトパワーＡＬＰＣブロック３６のＬＤドライバ４０に供給する。
【００１６】
ライトパワーＡＬＰＣ（Ａｕｔｏｍａｔｉｃ  Ｌａｓｅｒ  Ｐｏｗｅｒ  Ｃｏｎｔｒｏｌ）ブロック３６では、レジスタ４２にライトパワー制御目標電圧が予め格納されており、加算回路３８は上記ライトパワー制御目標電圧に低域成分重畳ブロック２４からのオフセット電圧を加算して補正したのちループフィルタ４４に供給する。ＬＤドライバ４０はループフィルタ４４から供給される誤差信号に応じた増幅度で増幅されたＬＤ駆動信号をレーザダイオード（ＬＤ）４６に供給してレーザダイオード４６をパルスストラテジ付加回路２２から供給される記録パルス幅を補正されたＥＦＭ信号に従って発光駆動する。
【００１７】
フロントモニタ２０はレーザビームの光強度を検出してループフィルタ４４に供給する。ループフィルタ４４は上記レーザビームの光強度検出信号（電圧）と、加算回路３８から供給される補正されたライトパワー制御目標電圧とを比較して、レーザビームの光強度が補正されたライトパワー制御目標電圧と一致させるような誤差信号を生成し、ＬＤドライバ４０に供給する。これにより、レーザビームの光強度が補正されたライトパワー制御目標電圧と一致するように制御される。
【００１８】
図２は、図示しない記録制御回路が実行する補正処理の一実施例のフローチャートを示す。同図中、ステップＳ１０では、端子３４から制御信号を供給して低域成分重畳オン／オフ回路３２をオフさせる。この状態でＯＰＣ（Ｏｐｔｉｍｕｍ  Ｐｏｗｅｒ  Ｃｏｎｔｒｏｌ）を行う。ＯＰＣは、記録時のレーザビームのパワーを最適にするためのもので、例えば光ディスクの中心部のＰＣＡ（Ｐｏｗｅｒ  ＣａｌｉｂｒａｔｉｏｎＡｒｅａ）において、レーザパワーを段階的に１５ステップ変化させてテスト信号を記録した後、その部分を再生してＲＦ信号のエンベロープのピーク（Ｐ）とボトム（Ｂ）の電圧を検出し、β＝（Ｐ＋Ｂ）／（Ｐ−Ｂ）で得た値βが所定値（例えば０．０４）に最も近い段階の記録パワーを最適記録パワーとして決定する。
【００１９】
次に、ステップＳ２０で決定された最適記録パワーに対する低域成分重畳ゲインを計算して可変ゲインアンプ３０に設定する。この後、ステップＳ３０でＥＦＭエンコーダ２０に記録データを供給して記録を開始すると共に、低域フィルタ２８の時定数に相当する時間だけ遅れて端子３４から制御信号を供給して低域成分重畳オン／オフ回路３２をオンさせ、可変ゲインアンプ３０からのオフセット電圧をライトパワーＡＬＰＣブロック３６の加算回路３８に供給する。
【００２０】
ところで、図３（Ａ）には、低域成分重畳オン／オフ回路３２をオフとしたときループフィルタ４４に供給されるライトパワー制御目標電圧の波形を示し、図３（Ｂ）に、そのときループフィルタ４４から出力される誤差信号の波形を示す。
【００２１】
これに対し、図４（Ａ）には、低域成分重畳オン／オフ回路３２をオンとしたときループフィルタ４４に供給されるライトパワー制御目標電圧の波形を示し、図４（Ｂ）に、そのときループフィルタ４４から出力される誤差信号の波形を示す。
【００２２】
これによって、光ディスクに記録されるＥＦＭ信号は、ＥＦＭ変調時に完全に除去できなかった低域成分で微小に振幅変調される。但し、上記低域成分は逆相である。このため、上記光ディスクから再生された信号を図６に示す信号再生回路で再生する場合、上記の振幅変調成分はコンパレータ１２での２値化時に再生ＲＦ信号に含まれるＥＦＭ変調時の低域成分と相殺される。これによって、コンパレータ１２に供給される閾値Ｖｔｈ１は、ＥＦＭ変調時の低域成分に拘わらず一定レベルとなり、再生ジッタの発生を低減することができる。
【００２３】
図５は、本発明の信号記録回路の第２実施例のブロック図を示す。同図中、  ＥＦＭエンコーダ５０は、誤り訂正符号ＣＩＲＣを含む記録データの各シンボル８ビットを１４チャネルビットからなるパターンに変換し、その後、各パターンの間に３チャネルビットのマージンビットを付加して、パルス幅が３Ｔ〜１１Ｔの中にあるというＥＦＭルールを満足させ、かつ、信号自体の持つ低域成分を低減させるＥＦＭ変調を行って、得られたＥＦＭ信号をパルスストラテジ付加回路５２に供給する。また、これと共に、マージンビットを生成する際に例えばパターン毎に計算したＤＳＶ（Ｄｉｇｉｔａｌ  Ｓｕｍ  Ｖａｒｉａｔｉｏｎ）をパルス幅補正回路５４に供給する。
【００２４】
パルスストラテジ付加回路５２は、パルスストラテジ（記録パルス幅）の設定を行う。ＥＦＭ信号は３Ｔ〜１１Ｔのパルス幅で記録されるが、記録パルス幅にあった正確なピット形成を行うために、光ディスク毎に最適なストラテジ（記録光パルス幅）を設定する。この情報は、光ディスクに参照値として予め記録されているか、もしくは、本発明の信号記録回路を搭載するドライブ装置のメモリ上のテーブルに記憶されている。パルスストラテジ付加回路５２は光ディスクから読み込んだ参照値をＥＦＭ信号の各パルスに付加して記録パルス幅を補正してパルス幅補正回路５４に供給する。パルス幅補正回路５４は供給されるパターン毎のＤＳＶ値に応じて、このＤＳＶ値が０となるようにＥＦＭ信号の各パルスの記録パルス幅を補正し、端子５６からライトパワーＡＬＰＣブロックに供給する。このライトパワーＡＬＰＣブロックは図１に示すライトパワーＡＬＰＣブロック３６から加算回路３８を削除した構成である。
【００２５】
これによって、光ディスクに記録されるＥＦＭ信号は、ＤＳＶ値（つまり、ＥＦＭ変調時に完全に除去できなかった低域成分）で微小に振幅変調され、上記光ディスクから再生された信号を図６に示す信号再生回路で再生する場合、上記の振幅変調成分はコンパレータ１２での２値化時に再生ＲＦ信号に含まれるＥＦＭ変調時の低域成分と相殺される。これによって、コンパレータ１２に供給される閾値Ｖｔｈ１は、ＥＦＭ変調時の低域成分に拘わらず一定レベルとなり、再生ジッタの発生を低減することができる。
【００２６】
なお、低域成分重畳ブロック２４が請求項記載の低域成分抽出手段に対応し、ライトパワーＡＬＰＣブロック３６が振幅変調手段に対応し、可変ゲインアンプ３０が増幅手段に対応する。
【００２７】
【発明の効果】
上述の如く、請求項１に記載の発明は、変調信号の低域成分を抽出する低域成分抽出手段と、低域成分抽出手段で抽出された低域成分に応じて前記変調信号を振幅変調する振幅変調手段とを有し、振幅変調手段の出力する信号を前記記録媒体に記録するため、記録媒体から再生された信号を２値化するときに、上記の振幅変調成分は再生された信号に含まれる低域成分と相殺されるので、再生ジッタを低減することができる。
【００２８】
請求項２に記載の発明では、低域成分抽出手段は、前記記録媒体である光ディスクの最適記録パワーに応じたゲインで前記抽出された低域成分を増幅する増幅手段を有するため、記録しようとする光ディスクの最適記録パワーに応じた最適な振幅変調を行うことができ、これにより再生時に振幅変調成分が再生された信号に含まれる低域成分と相殺されるようにすることができる。
【００２９】
請求項３に記載の発明では、振幅変調手段は、前記記録媒体である光ディスクに記録を行うレーザパワーを自動制御するレーザパワー制御部の制御目標値に前記低域成分抽出手段で抽出された低域成分を重畳することにより、抽出された低域成分に応じて前記変調信号を振幅変調することができる。
【図面の簡単な説明】
【図１】本発明の信号記録回路の第１実施例のブロック図である。
【図２】記録制御回路が実行する補正処理の一実施例のフローチャートである。
【図３】低域成分重畳オン／オフ回路３２をオフとしたときのライトパワー制御目標電圧と誤差信号の波形図である。
【図４】低域成分重畳オン／オフ回路３２をオンとしたときのライトパワー制御目標電圧と誤差信号の波形図である。
【図５】本発明の信号記録回路の第２実施例のブロック図である。
【図６】信号再生回路の一例のブロック図である。
【符号の説明】
２０，５０  ＥＦＭエンコーダ
２２，５２  パルスストラテジ付加回路
２４  低域成分重畳ブロック
２６  反転回路
２８  低域フィルタ
３０  可変ゲインアンプ（ＶＧＡ）
３２  低域成分重畳オン／オフ回路
３６  ライトパワーＡＬＰＣブロック
３８  加算回路
４０  ＬＤドライバ
４２  レジスタ
４４  ループフィルタ
４６  レーザダイオード（ＬＤ）
４８  フロントモニタ
５４  パルス幅補正回路
【図１】
0003661587.tif 000002
【図２】
0003661587.tif 000003
【図３】
0003661587.tif 000004
【図４】
0003661587.tif 000005
【図５】
0003661587.tif 000006
【図６】
0003661587.tif 000007